(57)【要約】【課題】表示素子と観察面保護板とを樹脂層により一体化した保護板一体型表示パネルを、前記樹脂層に気泡を生じさせること無く製造する。【解決手段】表示素子１の観察面上に画面エリアを囲んでスペーサ９を貼付け、前記表示素子１の観察面上のスペーサ９で囲まれた領域に未重合の樹脂１６ａを供給し、観察面保護板１０を、供給された未重合樹脂１６ａの層に、スペーサ９で囲まれた領域の中央部に対応する部分よりも他の部分が前記領域の辺部に近い側ほど遅れて未重合樹脂１６ａの層に当接する時間差を設けて押し付けることにより、表示素子１と保護板１０との間の間隙のスペーサ９で囲まれた領域に未重合樹脂１６ａを充填した状態で保護板１０を前記スペーサに当接させ、その後に前記充填された未重合樹脂１６ａを重合させる。【選択図】図５
2010139758.tif 000002
【特許請求の範囲】
【請求項１】
画像を表示する表示素子と、
前記表示素子の観察側の面上に、前記表示素子の画面エリアを囲んで貼付けられたスペーサと、
前記表示素子の観察側に配置され、前記表示素子の観察側の面を覆う形状に形成された透明板からなり、その２つの板面のうちの前記表示素子と対向する面に、前記スペーサで囲まれた領域の少なくとも互いに対向する２つの辺に対応する側からそれぞれ前記領域の中央部に対応する側に向かって前記表示素子側に突出する方向に傾斜した形状の山状面が形成され、前記表示素子と対向する面を前記スペーサに当接された観察面保護板と、
前記表示素子と前記保護板との間の間隙の前記スペーサで囲まれた領域に充填され、充填後に重合された樹脂層と、
を備えることを特徴とする保護板一体型表示パネル。
【請求項２】
観察面保護板の山状面は、前記保護板の表示素子と対向する面のうちのスペーサに当接する部分よりも内側の領域に形成され、前記表示素子と対向する面のうちの前記スペーサに当接する部分及びそれよりも外側の部分は、前記保護板の全周にわたって面一な平坦面に形成されていることを特徴とする請求項１に記載の保護板一体型表示パネル。
【請求項３】
観察面保護板の山状面は、スペーサで囲まれた領域の４つの辺に対応する側からそれぞれ前記領域の中央部に対応する側に向かって前記表示素子側に突出する方向に傾斜した形状に形成されていることを特徴とする請求項１または２に記載の保護板一体型表示パネル。
【請求項４】
画像を表示する表示素子と、前記表示素子の観察側に配置された観察面保護板とを、これらの間の間隙に充填され、充填後に重合された樹脂層により接合した保護板一体型表示パネルの製造方法において、
前記表示素子の観察側の面上に、前記表示素子の画面エリアを囲んでスペーサを貼付ける工程と、
前記表示素子の観察側の面上の前記スペーサで囲まれた領域に未重合の樹脂を供給する工程と、
前記表示素子の観察側に、前記表示素子の観察側の面を覆う形状に形成された透明板からなる観察面保護板を配置し、この保護板を、前記供給された未重合樹脂の層に、前記スペーサで囲まれた領域の中央部に対応する部分よりも他の部分が前記領域の辺部に近い側ほど遅れて前記未重合樹脂の層に当接する時間差を設けて押し付けることにより、前記表示素子と前記保護板との間の間隙の前記スペーサで囲まれた領域に前記未重合樹脂を充填した状態で前記保護板を前記スペーサに当接させる工程と、
前記充填された未重合樹脂を重合させる工程と、
を備えることを特徴とする保護板一体型表示パネルの製造方法。
【請求項５】
観察面保護板は、表示素子と対向する面に、スペーサで囲まれた領域の少なくとも互いに対向する２つの辺に対応する側からそれぞれ前記領域の中央部に対応する側に向かって前記表示素子側に突出する方向に傾斜した形状の山状面が形成された透明板からなっており、この保護板の前記山状面を未重合樹脂の層に押し付けることを特徴とする請求項４に記載の保護板一体型表示パネルの製造方法。
【請求項６】
観察面保護板は、平板状の透明板からなっており、この保護板を、スペーサで囲まれた領域の中央部に対応する部分を表示素子側に膨らませた円筒面状に湾曲させて未重合樹脂の層の中央部に当接させ、その後に、前記保護板を前記湾曲状態から元の平板状態に戻しながら前記未重合樹脂の層に押し付けることを特徴とする請求項４に記載の保護板一体型表示パネルの製造方法。
【請求項７】
観察面保護板は、平板状の透明板からなっており、表示素子の観察側の面上に、自重によって流れ広がらない程度の粘性をもった未重合樹脂を、スペーサで囲まれた領域の中央部に対応する部分を頂部とする山形に盛り上がらせて供給し、この未重合樹脂の層の上に前記保護板を押し付けることを特徴とする請求項４に記載の保護板一体型表示パネルの製造方法。
【発明の詳細な説明】
【技術分野】
【０００１】
この発明は、保護板一体型表示パネル及びその製造方法に関する。
【背景技術】
【０００２】
保護板一体型表示パネルとして、画像を表示する表示素子と、前記表示素子の観察側に配置された観察面保護板とを、これらの間の間隙に充填され、充填後に重合された樹脂層により接合した保護板一体型表示パネルがある。
【０００３】
この保護板一体型表示パネルは、表示素子の観察側の面上に、前記表示素子の画面エリアを囲んでスペーサを設け、前記表示素子の観察側の面上の前記スペーサで囲まれた領域に未重合の樹脂を供給し、前記表示素子の観察側に観察面保護板を配置してこの保護板を前記供給された未重合樹脂の層に押し付けることにより、前記表示素子と前記保護板との間の間隙の前記スペーサで囲まれた領域に前記未重合樹脂を充填した状態で前記保護板を前記スペーサに当接させ、その後に前記樹脂層を重合させる方法で製造されている（特許文献１参照）。
【特許文献１】特開平６−３３７４１１号公報
【発明の開示】
【発明が解決しようとする課題】
【０００４】
上記保護板一体型表示パネルは、表示素子の観察側の面上に供給された未重合樹脂の層に観察面保護板を押し付ける際に、前記保護板と未重合樹脂の層との間に空気が閉じ込められ、その後に重合された樹脂層中に気泡が生じて表示品質を低下させることがある。
【０００５】
この発明は、表示素子と観察面保護板とを接合するための樹脂層を気泡を生じさせること無く形成し、良好な表示品質を得ることができる保護板一体型表示パネルを提供することを目的としたものである。
【０００６】
また、この発明は、前記表示素子と前記観察面保護板とを、前記樹脂層に気泡を生じさせること無く接合することができる保護板一体型表示パネルの製造方法を提供することを目的としたものである。
【課題を解決するための手段】
【０００７】
この発明の請求項１に記載の保護板一体型表示パネルは、
画像を表示する表示素子と、
前記表示素子の観察側の面上に、前記表示素子の画面エリアを囲んで貼付けられたスペーサと、
前記表示素子の観察側に配置され、前記表示素子の観察側の面を覆う形状に形成された透明板からなり、その２つの板面のうちの前記表示素子と対向する面に、前記スペーサで囲まれた領域の少なくとも互いに対向する２つの辺に対応する側からそれぞれ前記領域の中央部に対応する側に向かって前記表示素子側に突出する方向に傾斜した形状の山状面が形成され、前記表示素子と対向する面を前記スペーサに当接された観察面保護板と、
前記表示素子と前記保護板との間の間隙の前記スペーサで囲まれた領域に充填され、充填後に重合された樹脂層と、
を備えることを特徴とする。
【０００８】
請求項２に記載の発明は、前記請求項１に記載の保護板一体型表示パネルにおいて、前記観察面保護板の山状面は、前記保護板の前記表示素子と対向する面のうちの前記スペーサに当接する部分よりも内側の領域に形成され、前記表示素子と対向する面のうちの前記スペーサに当接する部分及びそれよりも外側の部分は、前記保護板の全周にわたって面一な平坦面に形成されていることを特徴とする。
【０００９】
請求項３に記載の発明は、前記請求項１または２に記載の保護板一体型表示パネルにおいて、前記観察面保護板の山状面は、前記スペーサで囲まれた領域の４つの辺に対応する側からそれぞれ前記領域の中央部に対応する側に向かって前記表示素子側に突出する方向に傾斜した形状に形成されていることを特徴とする。
【００１０】
この発明の請求項４に記載の保護板一体型表示パネルの製造方法は、
画像を表示する表示素子と、前記表示素子の観察側に配置された観察面保護板とを、これらの間の間隙に充填され、充填後に重合された樹脂層により接合した保護板一体型表示パネルの製造方法において、
前記表示素子の観察側の面上に、前記表示素子の画面エリアを囲んでスペーサを貼付ける工程と、
前記表示素子の観察側の面上の前記スペーサで囲まれた領域に未重合の樹脂を供給する工程と、
前記表示素子の観察側に、前記表示素子の観察側の面を覆う形状に形成された透明板からなる観察面保護板を配置し、この保護板を、前記供給された未重合樹脂の層に、前記スペーサで囲まれた領域の中央部に対応する部分よりも他の部分が前記領域の辺部に近い側ほど遅れて前記未重合樹脂の層に当接する時間差を設けて押し付けることにより、前記表示素子と前記保護板との間の間隙の前記スペーサで囲まれた領域に前記未重合樹脂を充填した状態で前記保護板を前記スペーサに当接させる工程と、
前記充填された未重合樹脂を重合させる工程と、
を備えることを特徴とする。
【００１１】
請求項５に記載の発明は、前記請求項４に記載の保護板一体型表示パネルの製造方法において、前記観察面保護板は、前記表示素子と対向する面に、前記スペーサで囲まれた領域の少なくとも互いに対向する２つの辺に対応する側からそれぞれ前記領域の中央部に対応する側に向かって前記表示素子側に突出する方向に傾斜した形状の山状面が形成された透明板からなっており、この保護板の前記山状面を前記未重合樹脂の層に押し付けることを特徴とする。
【００１２】
請求項６に記載の発明は、前記請求項４に記載の保護板一体型表示パネルの製造方法において、前記観察面保護板は、平板状の透明板からなっており、この保護板を、前記スペーサで囲まれた領域の中央部に対応する部分を前記表示素子側に膨らませた円筒面状に湾曲させて前記未重合樹脂の層の中央部に当接させ、その後に、前記保護板を前記湾曲状態から元の平板状態に戻しながら前記未重合樹脂の層に押し付けることを特徴とする。
【００１３】
請求項７に記載の発明は、前記請求項４に記載の保護板一体型表示パネルの製造方法において、前記観察面保護板は、平板状の透明板からなっており、前記表示素子の観察側の面上に、自重によって流れ広がらない程度の粘性をもった未重合樹脂を、前記スペーサで囲まれた領域の中央部に対応する部分を頂部とする山形に盛り上がらせて供給し、この未重合樹脂の層の上に前記保護板を押し付けることを特徴とする。
【発明の効果】
【００１４】
この発明の保護板一体型表示パネルによれば、前記表示素子と前記観察面保護板とを接合するための樹脂層を気泡を生じさせること無く形成し、良好な表示品質を得ることができる。
【００１５】
また、この発明の保護板一体型表示パネルの製造方法によれば、前記表示素子と前記観察面保護板とを、前記樹脂層に気泡を生じさせること無く接合することができる。
【発明を実施するための最良の形態】
【００１６】
（第１の実施形態）
図１〜図５はこの発明の第１の実施例を示しており、図１は保護板一体型表示パネルの平面図、図２及び図３は図１のII−II線及びIII−III線に沿う断面図である。
【００１７】
この保護板一体型表示パネルは、画像を表示する表示素子１と、前記表示素子１の観察側の面上に、前記表示素子１の画面エリア１ａを囲んで貼付けられたスペーサ９と、前記表示素子１の観察側に配置され、前記表示素子１と対向する面を前記スペーサ９に当接された観察面保護板１０と、前記表示素子１と前記保護板１０との間の間隙の前記スペーサ９で囲まれた領域に充填され、充填後に重合された透明な樹脂層１６とを備えている。
【００１８】
前記表示素子１は、例えば液晶表示素子であり、予め定めた間隙を設けて対向配置され、矩形形状の画面エリア１ａを囲む枠状のシール材４を介して接合された観察側とその反対側の一対の透明基板２，３と、これらの基板２，３間の間隙の前記シール材４で囲まれた領域に封入された液晶層５と、前記一対の基板２，３の外面にそれぞれ配置された観察側とその反対側の一対の偏光板６，７とからなっている。
【００１９】
この液晶表示素子１は、例えばＴＦＴ（薄膜トランジスタ）をアクティブ素子としたアクティブマトリックス液晶表示素子であり、図では省略しているが、一方の基板、例えば観察側とは反対側の基板３の内面に、行方向及び列方向にマトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線とが設けられ、他方の基板、例えば観察側の基板２の内面に、前記複数の画素電極の配列領域に対向する一枚膜状の透明な対向電極が設けられている。
【００２０】
なお、前記反対側の基板３には、観察側基板２の外方に張出すドライバ搭載部３ａが形成されており、前記複数の走査線と信号線は、前記ドライバ搭載部３ａに搭載された表示ドライバ８に接続され、前記対向電極は、前記シール材４による基板接合部に設けられた図示しないクロス接続部と前記ドライバ搭載部３ａに形成された図示しない対向電極接続線を介して対向電極電位の供給源に接続されている。
【００２１】
さらに、図では省略しているが、前記観察側基板２の内面には、前記複数の画素電極と対向電極とが互いに対向する領域からなる複数の画素にそれぞれ対応させて、赤、緑、青の３色のカラーフィルタが設けられており、前記対向電極は、前記カラーフィルタの上に形成されている。また、前記一対の基板２，３の内面には、前記電極を覆って配向膜が設けられており、前記液晶層５の液晶分子は、前記一対の基板２，３間において、前記配向膜により規定される配向状態に配向している。
【００２２】
前記液晶表示素子１は、その観察側とは反対側に配置された図示しない面光源から照射された光の透過を、前記複数の画素の電極間への電圧の印加により制御して画像を表示する。
【００２３】
前記スペーサ９は、前記液晶表示素子１の観察側の面（観察側偏光板６の外面）の周縁部に対応する矩形枠状に形成された予め定めた厚さの樹脂シートからなっており、前記液晶表示素子１の画面エリア１ａを囲んで、この液晶表示素子１の観察側の面（以下、観察面という）の周縁部に、図示しない両面粘着テープによって貼付けられている。
【００２４】
前記観察面保護板１０は、前記液晶表示素子１の観察面を覆う形状、例えば、周縁部が前記液晶表示素子１の周囲に張出す大きさの矩形形状に形成された強化ガラス板またはアクリル樹脂板等の透明板からなっており、その２つの板面のうちの前記液晶表示素子１と対向する面に、前記スペーサ９で囲まれた矩形状の領域の少なくとも互いに対向する２つの辺に対応する側からそれぞれ前記領域の中央部に対応する側に向かって前記液晶表示素子１側に突出する方向に傾斜した山状面１１が形成されている。
【００２５】
図４は前記観察面保護板１０の斜視図であり、この保護板１０の山状面１１は、前記保護板１０の前記液晶表示素子１と対向する面のうちの前記スペーサ９に当接する部分よりも内側の矩形形状の領域に形成され、前記液晶表示素子１と対向する面のうちの前記スペーサ９に当接する部分及びそれよりも外側の部分は、前記保護板１０の全周にわたって面一な平坦面に形成されている。
【００２６】
さらに、この保護板１０の山状面１１は、前記スペーサ９で囲まれた領域の４つの辺に対応する側からそれぞれ前記領域の中央部に対応する側に向かって前記液晶表示素子１側に突出する方向に傾斜した形状に形成されている。
【００２７】
この実施例において、前記山状面１１は、図４のように、前記スペーサ９で囲まれた領域に対応する矩形状の平面形状を有し、この矩形状部の２つの長辺間の中心部に、前記長辺と平行で且つ前記長辺よりも短い長さの直線状の頂部をもち、前記保護板１０の周縁部の平坦面に対する前記頂部の高さが前記スペーサ９の厚さよりも小さく設定され、さらに、前記２つの長辺から前記頂部に向かう２つの傾斜面１２ａ，１２ｂがそれぞれ実質的に同じ傾き角で傾斜した台形形状面に形成され、前記矩形状部の２つの短辺から前記頂部に向かう２つの傾斜面１２ｃ，１２ｄがそれぞれ前記２つの長辺側の傾斜面１２ａ，１２ｂと実質的に同じ傾き角で傾斜した三角形状面に形成された、４方向に傾斜した形状に形成されている。
【００２８】
また、前記保護板１０の液晶表示素子１と対向する面のうちの前記山状面１１の周囲の平坦面には、前記液晶表示素子１の画面エリア１ａ外の領域に対応させて、遮光性塗料の印刷膜、或いはクロム等の金属のメッキまたは蒸着膜からなる遮光膜１５が形成されている。
【００２９】
そして、前記保護板１０は、前記液晶表示素子１の観察側に、前記液晶表示素子１と対向する面のうちの前記山状面１１の周囲の平坦面（遮光膜１５面）を前記スペーサ９に当接させて配置され、前記液晶表示素子１と前記保護板１０との間の間隙の前記スペーサ９で囲まれた領域に充填され、充填後に重合された樹脂層１６によって前記液晶表示素子１の観察面に接合されている。
【００３０】
前記樹脂層１６は、この樹脂層１６と前記液晶表示素子１の観察面との界面及び前記保護板１０との界面での光の散乱を少なくするために、重合後の屈折率が、前記液晶表示素子１の観察面を形成する部材、つまり観察側偏光板６の屈折率及び前記保護板１０の屈折率と略同じか、或いは、前記観察側偏光板６及び前記保護板１０との屈折率の差が小さい低散乱性の樹脂により形成されている。
【００３１】
さらに、前記樹脂層１６は、紫外線重合性と熱重合性の両方の特性もった樹脂材、例えば、アクリレート、メタクリレート等のアクリル系モノマー、或いは、アクリレートとメタクリレートの一方または両方の低重合体であるアクリルオリゴマー等の脂環状エポキシ樹脂に、スルホニウム塩等の有機過酸化物からなる硬化開始剤を添加した樹脂材により形成されている。
【００３２】
この樹脂材は、未重合状態における粘度が、１５００〜１００００ｍＰａ・ｓ（ミリパスカル・セカント）、好ましくは３０００〜５０００ｍＰａ・ｓで、紫外線重合及び熱重合後のＥコード硬度が、Ｅ４〜Ｅ１３、好ましくはＥ７〜Ｅ１０、紫外線重合及び熱重合による収縮率が、０．９〜２．０％、好ましくは０．９７〜１．６４％の特性を有するものが望ましい。
【００３３】
この保護板一体型表示パネルは、前記液晶表示素子１の観察面上に、前記液晶表示素子１の画面エリア１ａを囲んでスペーサ９を貼付け、前記液晶表示素子１の観察側に、前記液晶表示素子１の観察面を覆う形状に形成された透明板からなり、前記液晶表示素子１と対向する面に前記山状面１１が形成された観察面保護板１０を配置し、この保護板１０の前記液晶表示素子１と対向する面を前記スペーサ９に当接させ、前記液晶表示素子１と前記保護板１０とを、これらの間の間隙の前記スペーサ９で囲まれた領域に充填され、充填後に重合された樹脂層１６によって接合しているため、前記液晶表示素子１と前記保護板１０とを接合するための前記樹脂層１６を、気泡を生じさせること無く形成し、良好な表示品質を得ることができる。
【００３４】
図５は前記保護板一体型表示パネルの製造方法を示しており、この保護板一体型表示パネルは、前記液晶表示素子１の観察面上に、この液晶表示素子１の画面エリア１ａを囲んで前記スペーサ９を貼付ける工程と、前記液晶表示素子１の観察面上の前記スペーサで囲まれた領域に未重合の樹脂１６ａを供給する工程と、前記液晶表示素子１の観察側に、前記液晶表示素子１と対向する面に前記山状面１１が形成された前記保護板１０を配置し、この保護板１０を、前記供給された未重合樹脂１６ａの層に、前記スペーサ９で囲まれた領域の中央部に対応する部分よりも他の部分が前記領域の辺部に近い側ほど遅れて前記未重合樹脂１６ａの層に当接する時間差を設けて押し付けることにより、前記液晶表示素子１と前記保護板１０との間の間隙の前記スペーサ９で囲まれた領域に前記未重合樹脂１６ａを充填した状態で前記保護板１０を前記スペーサ９に当接させる工程と、前記充填された未重合樹脂１６ａを重合させる工程とによって製造する。
【００３５】
この製造方法において、前記未重合樹脂１６ａは、ディスペンサによる滴下、転写、スクリーン印刷等の手段により、前記液晶表示素子１の観察面上の前記スペーサ９で囲まれた領域全体に、前記スペーサ９の高さよりもある程度厚く供給する。
【００３６】
そして、前記保護板１０は、前記液晶表示素子１の観察側に、この保護板１０の前記液晶表示素子１と対向する面のうちの前記山状面１１の周囲の平坦面を前記スペーサ９に対向させて配置し、この保護板１０を、その外面（液晶表示素子１と対向する面とは反対面）側から図示しない加圧手段によって加圧する。
【００３７】
このように前記液晶表示素子１の観察側に前記保護板１０を配置してその外面側から加圧すると、この保護板１０の液晶表示素子１に対向する面に形成された山状面１１の頂部がまず前記未重合樹脂１６ａの層に当接し、この山状面１１の頂部によって前記未重合樹脂１６ａの層が押し潰され、続いて、前記山状面１１の周面の傾斜面１２ａ，１２ｂ，１２ｃ，１２ｄが前記頂部側から順に前記未重合樹脂１６ａの層に当接し、これらの傾斜面１２ａ，１２ｂ，１２ｃ，１２ｄによって前記未重合樹脂１６ａの層が、前記山状面１１の頂部に対応する側から前記山状面１１の周縁部に対応する側に向かって順に押し潰される。
【００３８】
すなわち、前記保護板１０の山状面１１は、前記未重合樹脂１６ａの層に対して、前記スペーサ９で囲まれた領域の中央部に対応する頂部よりも他の部分が前記領域の辺部に近い側ほど遅れて当接し、それにともなって、前記未重合樹脂１６ａの層が、その中央側から周囲に向かって順に押し潰される。
【００３９】
そのため、前記保護板１０を、その山状面１１と前記未重合樹脂１６ａの層との間の空気を前記山状面１１の周囲に排除しながら、前記山状面１１と前記未重合樹脂１６ａの層との間に空気を閉じ込めること無く前記未重合樹脂１６ａの層に押し付け、前記未重合樹脂１６ａの層を、前記山状面１１と隙間無く密着した状態で前記山状面１１の形状に押し潰すことができる。
【００４０】
そして、前記保護板１０は、前記液晶表示素子１と前記保護板１０との間の間隙の前記スペーサ９で囲まれた領域に前記未重合樹脂１６ａを充填した状態で、前記山状面１１の周囲の平坦面（遮光膜１５面）を前記スペーサ９に当接される。
【００４１】
なお、前記液晶表示素子１の観察面上に供給された未重合樹脂１６ａのうちの前記液晶表示素子１と前記保護板１０との間の間隙の前記スペーサ９で囲まれた領域への充填量を超える余剰分は、前記保護板１０の山状面１１による前記未重合樹脂１６ａの層の押し潰しにともなって、前記スペーサ９を乗り越えて外部に押し出され、また、前記スペーサ９の上の樹脂は、前記保護板１０の平坦面を前記スペーサ９に当接させることによって外部に押し出される。
【００４２】
そして、前記保護板１０の平坦面を前記スペーサ９に当接させた後は、前記スペーサ９の外側に押し出された余剰の未重合樹脂１６ａを拭き取り、その後に、前記液晶表示素子１と前記保護板１０との間の間隙の前記スペーサ９で囲まれた領域に充填された未重合樹脂１６ａを重合させて前記保護板一体型表示パネルを完成する。
【００４３】
なお、前記未重合樹脂１６ａは、紫外線重合性と熱重合性の両方の特性もった樹脂材からなっており、この未重合樹脂１６ａの重合は、前記保護板１０の加圧状態を維持して前記保護板１０の外面側から紫外線を一定時間照射し、その後に、前記保護板１０の加圧を解除して、前記樹脂材の重合温度に保たれた加熱雰囲気内で一定時間加熱処理することにより行う。
【００４４】
すなわち、紫外線重合性と熱重合性の両方の特性もった樹脂材は、前記保護板１０の加圧を維持した状態で前記保護板１０の外面側から紫外線を照射することによって紫外線重合し、前記液晶表示素子１と前記保護板１０とが、紫外線重合した樹脂材の層によって接合される。
【００４５】
前記紫外線の照射は、前記樹脂材の特性に応じて、この樹脂材が紫外線重合するのに要する時間よりも僅かに長い時間だけ行い、その後、つまり前記樹脂材の紫外線重合によって前記液晶表示素子１と前記保護板１０とが接合された後に、前記加圧を解除する。
【００４６】
前記樹脂材の紫外線重合においては、前記保護板１０の外面側から照射された紫外線が、前記保護板１０の前記液晶表示素子１と対向する面の平坦面上に形成された遮光膜１５により遮られ、また、前記保護板１０に装飾等のための印刷が施されている場合は、その印刷膜によっても前記紫外線が遮られるため、紫外線重合された樹脂材の層の前記遮光膜１５や印刷膜に対応する部分に、重合不足部や未重合部が残る。
【００４７】
この樹脂材の層の紫外線照射による重合不足部や未重合部は、前記紫外線照射後に、前記樹脂材の重合温度に加熱することによって熱重合し、前記樹脂材の層全体が重合した樹脂層１６が形成される。
【００４８】
前記樹脂材の熱重合は、前記液晶表示素子１と前記保護板１０とが前記樹脂材の紫外線重合によって既に接合されているため、前記保護板１０の加圧状態を維持すること無く、前記樹脂材の重合温度に保たれた加熱雰囲気内で、前記樹脂材が熱重合するのに要する時間以上加熱処理することにより行うことができる。
【００４９】
この製造方法は、前記液晶表示素子１の観察面上の前記スペーサ９で囲まれた領域に供給された未重合樹脂１６ａに、前記液晶表示素子１と対向する面に前記山状面１１が形成された観察面保護板１０を、前記スペーサ９で囲まれた領域の中央部に対応する部分よりも他の部分が前記領域の辺部に近い側ほど遅れて前記未重合樹脂１６ａの層に当接する時間差を設けて押し付けることにより、前記液晶表示素子１と前記保護板１０との間の間隙の前記スペーサ９で囲まれた領域に前記未重合樹脂１６ａを充填した状態で前記保護板１０を前記スペーサ９に当接させるため、前記液晶表示素子１と前記保護板１０とを、これらを接合するための樹脂層１６に気泡を生じさせること無く接合することができる。
【００５０】
また、上記実施例では、前記保護板１０の山状面１１を、前記保護板１０の液晶表示素子１と対向する面のうちの前記スペーサ９に当接する部分よりも内側の領域に形成し、前記液晶表示素子１と対向する面のうちの前記スペーサ９に当接する部分及びそれよりも外側の部分を、前記保護板１０の全周にわたって面一な平坦面に形成しているため、前記保護板１０を前記スペーサ９に対して、これらの間に隙間を生じさせることなく当接させることができる。
【００５１】
しかも、上記実施例では、前記保護板１０の山状面１１を、前記スペーサ９で囲まれた矩形状の領域の４つの辺に対応する側からそれぞれ前記領域の中央部に対応する側に向かって前記液晶表示素子１側に突出する方向に傾斜した形状、つまり４方向に傾斜した形状に形成しているため、前記保護板１０を、その山状面１１と前記未重合樹脂１６ａの層との間の空気を前記山状面１１の周囲に排除しながら前記未重合樹脂１６ａの層に押し付け、前記樹脂層１６に気泡が生じるのをさらに効果的に防ぐことができる。
【００５２】
さらに、上記実施例では、前記液晶表示素子１と前記保護板１０とを接合するための樹脂層１６を、紫外線重合性と熱重合性の両方の特性もった樹脂材からなる未重合樹脂１６ａの層を、紫外線照射と加熱とにより重合させているため、前記樹脂層１６に重合不足部や未重合部が残ることはなく、したがって、前記液晶表示素子１と前記保護板１０との接合強度を充分に確保することができる。
【００５３】
しかも、前記紫外線重合性と熱重合性の両方の特性もった樹脂材からなる未重合樹脂１６ａの紫外線重合後の熱重合は、前記保護板１０の加圧を解除して加熱雰囲気内に放置することにより行うことができるため、前記保護板一体型表示パネルを容易に製造することができる。
【００５４】
なお、上記実施例では、前記保護板１０の山状面１１を図４に示した形状に形成しているが、この山状面１１は、前記スペーサ９で囲まれた領域の少なくとも互いに対向する２つの縁部に対応する側からそれぞれ前記領域の中央部に対応する側に向かって前記液晶表示素子１側に突出する方向に傾斜した形状であれば、他の形状に形成してもよい。
【００５５】
図６及び図７はそれぞれ、前記保護板１０の山状面の変形例を示しており、図６に示した山状面１１ａは、前記スペーサ９で囲まれた領域に対応する矩形状の平面形状を有し、この矩形状部の中心部に点状の頂部をもち、前記保護板１０の周縁部の平坦面に対する前記頂部の高さが前記スペーサ９の厚さよりも小さく設定され、さらに、前記矩形状部の２つの長辺から前記頂部に向かう２つの傾斜面１３ａ，１３ｂがそれぞれ実質的に同じ傾き角で傾斜した三角形状面に形成され、前記矩形状部の２つの短辺から前記頂部に向かう２つの傾斜面１３ｃ，１３ｄがそれぞれ前記２つの長辺側の傾斜面１３ａ，１３ｂの傾き角よりも緩やかな傾き角で傾斜した三角形状面に形成された、４方向に傾斜した形状に形成されている。
【００５６】
また、図７に示した山状面１１ｂは、前記スペーサ９で囲まれた領域に対応する矩形状の平面形状を有し、この矩形状部の２つの長辺間の中心部に、前記長辺と平行で且つ前記長辺と同じ長さの直線状の頂部をもち、前記保護板１０の周縁部の平坦面に対する前記頂部の高さが前記スペーサ９の厚さよりも小さく設定され、さらに、前記矩形状部の２つの長辺から前記頂部に向かう２つの傾斜面１４ａ，１４ｂがそれぞれ実質的に同じ傾き角で傾斜した矩形形状面に形成された、２方向に傾斜した形状に形成されている。
【００５７】
なお、図７に示した山状面１１ｂは、前記矩形状部の２つの長辺に対応する側に傾斜面１４ａ，１４ｂを形成したものであるが、２方向に傾斜した形状の山状面は、前記矩形状部の２つの短辺間の中心部に、前記短辺と平行で且つ前記短辺と同じ長さの直線状の頂部をもち、前記２つの短辺側に、これらの短辺から前記頂部に向かう２つの傾斜面を形成したものでもよい。
【００５８】
（第２の実施形態）
図８はこの発明の保護板一体型表示パネルの製造方法の第２の実施例を示す図、図９はこの実施例の製造方法により製造された保護板一体型表示パネルの断面図である。なお、この実施例において、上述した第１の実施例に対応するものには図に同符号を付し、同一のものについてはその説明を省略する。
【００５９】
この実施例の製造方法は、平板状の透明板からなる観察面保護板１０ａを、前記スペーサ９で囲まれた領域の中央部に対応する部分を前記液晶表示素子１側に膨らませた円筒面状に湾曲させて前記液晶表示素子１の観察面上の前記スペーサ９で囲まれた領域に供給された未重合樹脂１６ａの層の中央部に当接させ、その後に、前記保護板１０ａを前記湾曲状態から元の平板状態に戻しながら前記未重合樹脂１６ａの層に押し付けることにより、前記液晶表示素子１と前記保護板１０ａとの間の間隙の前記スペーサ９で囲まれた領域に前記未重合樹脂１６ａを充填した状態で前記保護板１０ａを前記スペーサ９に当接させ、その後に、前記充填された未重合樹脂１６ａを、上記第１の実施例と同様にして重合させるようにしたものである。
【００６０】
なお、この実施例においては、矩形形状に形成された前記保護板１０ａを、その長手方向に湾曲させるのが望ましく、このようにすることにより、前記保護板１０ａを無理無く湾曲させることができる。
【００６１】
この製造方法によれば、前記保護板１０ａを、前記未重合樹脂１６ａの層に、前記スペーサ９で囲まれた領域の中央部に対応する部分よりも他の部分が前記領域の辺部に近い側ほど遅れて前記未重合樹脂１６ａの層に当接する時間差を設けて押し付けることができるため、前記液晶表示素子１と前記保護板１０ａとを、これらを接合するための樹脂層１６に気泡を生じさせること無く接合した、図９に示した保護板一体型表示パネルを製造することができる。
【００６２】
（第３の実施形態）
図１０はこの発明の保護板一体型表示パネルの製造方法の第３の実施例を示す図、図１１はこの実施例の製造方法により製造された保護板一体型表示パネルの断面図である。なお、この実施例において、上述した第１の実施例に対応するものには図に同符号を付し、同一のものについてはその説明を省略する。
【００６３】
この実施例の製造方法は、前記液晶表示素子１の観察面上の前記スペーサ９で囲まれた領域に、自重によって流れ広がらない程度の粘性をもった未重合樹脂１６ａを、前記スペーサ９で囲まれた領域の中央部に対応する部分を頂部とする山形に盛り上がらせて供給し、この未重合樹脂１６ａの層の上に、平板状の透明板からなる観察面保護板１０ｂを押し付けることにより、前記液晶表示素子１と前記保護板１０ｂとの間の間隙の前記スペーサ９で囲まれた領域に前記未重合樹脂１６ａを充填した状態で前記保護板１０ｂを前記スペーサ９に当接させ、その後に、前記充填された未重合樹脂１６ａを、上記第１の実施例と同様にして重合させるようにしたものである。
【００６４】
なお、この実施例において、前記液晶表示素子１の観察面上への前記未重合樹脂１６ａの供給は、前記スペーサ９で囲まれた領域の各部における未重合樹脂１６ａの厚さを制御することができる方法、例えばディスペンサによる滴下または転写により行う。また、この未重合樹脂１６ａは、前記スペーサ９で囲まれた領域内だけで無く、図１０のように、前記スペーサ９の上にはみ出した状態に供給してもよい。
【００６５】
この製造方法によれば、前記保護板１０ｂを、前記未重合樹脂１６ａの層に、前記スペーサ９で囲まれた領域の中央部に対応する部分よりも他の部分が前記領域の辺部に近い側ほど遅れて前記未重合樹脂１６ａの層に当接する時間差を設けて押し付けることができるため、前記液晶表示素子１と前記保護板１０ｂとを、これらを接合するための樹脂層１６に気泡を生じさせること無く接合した、図１１に示した保護板一体型表示パネルを製造することができる。
【００６６】
（他の実施形態）
なお、上記各実施例では、前記液晶表示素子１と前記保護板１０ｂとを接合するための樹脂層１６を、紫外線重合性と熱重合性の両方の特性もった樹脂材により形成しているが、前記樹脂層１６は、紫外線重合性と熱重合性のいずれか一方の特性もった樹脂材により形成してもよい。
【００６７】
また、上記実施例の保護板一体型表示パネルは、液晶表示素子１と観察面保護板１０，１０ａ，１０ｂとを一体化させたものであるが、この発明は、液晶表示素子以外の表示素子、例えば有機ＥＬ（エレクトロルミネッセンス）表示素子と観察面保護板とを一体化させた保護板一体型表示パネル及びその製造にも適用することができる。
【図面の簡単な説明】
【００６８】
【図１】この発明の第１の実施例を示す保護板一体型表示パネルの平面図。
【図２】図１のII−II線に沿う断面図。
【図３】図１のIII−III線に沿う断面図。
【図４】第１の実施例の保護板一体型表示パネルにおける観察面保護板の斜視図。
【図５】第１の実施例の保護板一体型表示パネルの製造方法を示す図。
【図６】前記観察面保護板の山状面の変形例を示す斜視図。
【図７】前記観察面保護板の山状面の他の変形例を示す斜視図。
【図８】この発明の保護板一体型表示パネルの製造方法の第２の実施例を示す図。
【図９】第２の実施例の方法により製造された保護板一体型表示パネルの断面図。
【図１０】この発明の保護板一体型表示パネルの製造方法の第３の実施例を示す図。
【図１１】第３の実施例の方法により製造された保護板一体型表示パネルの断面図。
【符号の説明】
【００６９】
１…液晶表示素子、１ａ…画面エリア、９…スペーサ、１０，１０ａ，１０ｂ…観察面保護板、１１…山状面、１２ａ，１２ｂ，１２ｃ，１２ｄ，１３ａ，１３ｂ，１３ｃ，１３ｄ，１４ａ，１４ｂ…傾斜面、１５…遮光膜、１６…樹脂層、１６ａ…未重合樹脂。
【図１】
2010139758.tif 000003
【図２】
2010139758.tif 000004
【図３】
2010139758.tif 000005
【図４】
2010139758.tif 000006
【図５】
2010139758.tif 000007
【図６】
2010139758.tif 000008
【図７】
2010139758.tif 000009
【図８】
2010139758.tif 000010
【図９】
2010139758.tif 000011
【図１０】
2010139758.tif 000012
【図１１】
2010139758.tif 000013